(57)【要約】      （修正有）【課題】データコピーの自動化・レジューム再生を可能にする。【解決手段】モバイル機器は充電等を行うためにクレードルに接続されると、コンテンツ記録機器とモバイル機器が自動で相互通信を行い相互に認証を行う。尚、ここでは、クレードルに接続された時を契機として通信を開始するものとしているが、通信を開始する契機としては、指定時刻、充電開始などその他の契機で通信を開始しても良い。次いで、相互認証時に、モバイル機器からコンテンツ機器にモバイル機器状態情報を送信しコンテンツ機器でこれを保存し、処理を終了する。このように、コンテンツ記録機器とモバイル機器が何らかの契機により自動で通信を行い自動でコンテンツをモバイル機器にコピーすることができる。【選択図】図６
2009169460.tif 000002
【特許請求の範囲】
【請求項１】
第１のコンテンツ記録部と、第１の通信部と、を有するコンテンツ記録機器と、第２のコンテンツ記録部と、第２の通信部と、を有するコンテンツ再生可能なモバイル機器と、を有しており、
前記コンテンツ記録機器と前記モバイル機器とが自動で通信を開始し、前記モバイル機器の操作を契機として前記第１のコンテンツ記録部に記憶されているコンテンツを、前記第１の通信部と前記第２の通信部とを介して前記第２のコンテンツ記録部に保存させるコンテンツ転送処理が自動的に行われることを特徴とするコンテンツ自動コピーシステム。
【請求項２】
前記コンテンツ記録機器に複数ユーザーが登録されている場合に、前記モバイル機器に登録されているユーザＩＤ毎にコピーするコンテンツを切り替えることを特徴とする請求項１に記載のコンテンツ自動コピーシステム。
【請求項３】
コピー元の前記コンテンツ記録機器に、コピー先の前記モバイル機器が再生できるコンテンツのファイル形式を自動的に取得し、ファイル形式の変換を行った後にコンテンツの転送処理が行われることを特徴とする請求項１に記載のコンテンツ自動コピーシステム。
【請求項４】
コピー元の前記コンテンツ記録機器が前記第２のコンテンツ記録部におけるコンテンツ保存領域の空き容量を自動的に取得し、コンテンツ領域の空き容量に適したコンテンツサイズへの変換を行った後にコンテンツの転送処理が行われることを特徴とする請求項１から３までのいずれか１項に記載のコンテンツ自動コピーシステム。
【請求項５】
コンテンツコピー時に前記モバイル機器のコンテンツの削除状況又は視聴状況の少なくともいずれかを確認し、前記コンテンツ記録機器のコンテンツを自動的に削除する処理を行うことを特徴とする請求項１から４までのいずれか１項に記載のコンテンツ自動コピーシステム。
【請求項６】
コンテンツコピー時に前記モバイル機器のコンテンツ視聴状況又は前記第２の記録領域のコンテンツ保存領域の空き状況の少なくともいずれか一方を確認し、前記モバイル機器に保存されているコンテンツを自動的に削除する請求項１から４までのいずれか１項に記載のコンテンツ自動コピーシステム。
【請求項７】
コンテンツコピー時に、前記コンテンツ記録機器と前記モバイル機器とに保存されているコンテンツのレジューム情報を自動的に交換することを特徴とする請求項１から４までのいずれか１項に記載のコンテンツ自動コピーシステム。
【請求項８】
第１のコンテンツ記録部と、第１の通信部と、を有するコンテンツ記録機器と、第２のコンテンツ記録部と、第２の通信部と、を有するコンテンツ再生可能なモバイル機器と、を有するシステムにおけるコンテンツ記録機器であって、
前記コンテンツ記録機器と前記モバイル機器とが自動で通信を開始し、前記モバイル機器の操作を契機として前記第１のコンテンツ記録部に記憶されているコンテンツを、前記第１の通信部と前記第２の通信部とを介して前記第２のコンテンツ記録部に保存させるコンテンツ転送処理が自動的に行われることを特徴とするコンテンツ記録機器。
【請求項９】
第１のコンテンツ記録部と、第１の通信部と、を有するコンテンツ記録機器と、第２のコンテンツ記録部と、第２の通信部と、を有するコンテンツ再生可能なモバイル機器と、を有するシステムにおけるモバイル機器であって、
前記コンテンツ記録機器と前記モバイル機器とが自動で通信を開始し、前記モバイル機器の操作を契機として前記第１のコンテンツ記録部に記憶されているコンテンツを、前記第１の通信部と前記第２の通信部とを介して前記第２のコンテンツ記録部に保存させるコンテンツ転送処理が自動的に行われることを特徴とするモバイル機器。
【請求項１０】
第１のコンテンツ記録部と、第１の通信部と、を有するコンテンツ記録機器と、第２のコンテンツ記録部と、第２の通信部と、を有するコンテンツ再生可能なモバイル機器と、を有するシステムにおけるコンテンツ自動コピー方法であって、
前記コンテンツ記録機器と前記モバイル機器とが自動で通信を開始すると、
前記モバイル機器の操作を契機として前記第１のコンテンツ記録部に記憶されているコンテンツを、前記第１の通信部と前記第２の通信部とを介して前記第２のコンテンツ記録部に保存させるコンテンツ転送処理が自動的に行われることを特徴とするコンテンツ自動コピー方法。
【請求項１１】
請求項１０に記載の方法をコンピュータに実行させるためのプログラム。
【発明の詳細な説明】
【技術分野】
【０００１】
本発明は、コンテンツ記録機器と、コンテンツを持ち運ぶことができるモバイル機器（受信端末）と、を含むシステムに関し、特に、コンテンツを自動的に取得するコンテンツ自動コピーシステムに関する。
【背景技術】
【０００２】
近年、ハードディスクレコーダ（ＨＤＤレコーダ）など、例えばテレビ番組などの大容量コンテンツを大量に記録することができるコンテンツ記録機器が普及してきている。一方、携帯電話や携帯メディアプレーヤーなど、外出先で動画や音楽などを再生することができるモバイル機器も普及してきている。特許文献１には、ＰＣを用いてサイトにアクセスした利用者が簡単な操作で自分の携帯型情報端末にそのサイトのコンテンツを転送することを可能とするシステムが記載されている。
【０００３】
また、利用者は、コンテンツ記録機器に記録されているコンテンツを、モバイル機器で再生できるファイル形式に手動で変換し、モバイル機器においてコンテンツを再生するコンテンツ再生技術もある。
【０００４】
【特許文献１】特開２００３−３３９０００号公報
【発明の開示】
【発明が解決しようとする課題】
【０００５】
上記コンテンツ再生技術によれば、ＨＤＤレコーダなどにより録画したコンテンツをモバイル機器において再生することができるが、利用者はモバイル機器へのコンテンツの転送のための特別の操作を行わなければならないため手間がかかるという問題点がある。
【０００６】
また、利用者が外出先においてモバイル機器でコンテンツを再生したい場合には、利用者が手動でモバイル機器にあらかじめ転送操作を行ったコンテンツのみしか再生できない。
【０００７】
また、利用者がモバイル機器でコンテンツを途中まで再生し、その後にコンテンツ記録機器において同じコンテンツを再生した場合、両機器間においてはレジューム情報が共有されていないため、コンテンツが最初から再生されてしまうという不都合がある。ここで、レジューム情報とは、コンテンツの再生を停止する直前の状態を保存し、次にコンテンツの再生を再開したときにコンテンツの再生を停止する直前の状態からコンテンツ再生を行うための必要な情報であり、コンテンツＩＤと、コンテンツの再生の有無と再生途中であればそのコンテンツの再生済みの部分の情報とを含む。
【０００８】
上記と逆の場合、つまり利用者がコンテンツ記録機器でコンテンツを途中まで再生し、その後にモバイル機器で同じコンテンツを再生した場合にも、レジューム情報が共有されていないため、コンテンツが最初から再生されてしまうという不都合がある。
【０００９】
ところで、ＨＤＤレコーダなどのコンテンツ記録機器は、家族など複数人での使用を前提としているケースが多く、複数のユーザーが同一のコンテンツ記録機器を共用しているケースが多い。他方、モバイル機器に関しては、個人使用であるケースが多い。このような場合に、他のユーザーが保存した不必要なコンテンツまでが個人所有のモバイル機器にコピーされてしまうことになる。
【００１０】
さらに、モバイル機器のコンテンツ記憶容量はＨＤＤレコーダなどのコンテンツ記録機器の記憶容量に比べて小さく、また再生できるファイル形式がモバイル機器によって異なるという問題もある。
【００１１】
本発明は、上記の問題点、特に、データコピーの自動化・レジューム再生を可能にすることなどを目的とする。
【課題を解決するための手段】
【００１２】
上記課題を解決するため、本発明では、モバイル機器を充電等のためにクレードル等に接続するイベントを契機として、コンテンツ記録機器との間で通信を行い、相互認証を行うものである。
【００１３】
コンテンツ記録機器においては、ユーザーとモバイル機器との対応関係を記憶しておき、コンテンツ記録機器がモバイル機器の個体判定を行う。そして、モバイル機器にコピーするコンテンツは、対応関係のあるユーザーのコンテンツだけとすることを特徴とする。
【００１４】
また、相互認証時に、モバイル機器のコンテンツ保存領域の空き容量や再生可能なファイル形式をコンテンツ記録機器に送信する。さらに、モバイル機器とコンテンツ記録機器間でコンテンツの視聴状況、レジューム情報を交換する。
【００１５】
尚、コンテンツ記録機器とモバイル機器とが自動で通信を開始するタイミングは、モバイル機器を充電するためのクレードルに接続したタイミングなど、何らかの必要があって日常的にユーザが行うタイミングであっても良い。
【００１６】
そして、相互認証時に得られた上記の情報をもとに、コンテンツ記録機器からモバイル機器にコンテンツのコピーを行う。このとき、モバイル機器のコンテンツ保存領域の空き容量や再生可能なファイル形式に応じて、ファイル形式やサイズの変換を行うように構成することも可能である。
【００１７】
さらに、コンテンツの視聴状況などの情報により、コンテンツ記録機器およびモバイル機器の不要なコンテンツを自動的に削除するようにすることも可能である。
【００１８】
尚、本発明は、上記のシステムを構成するコンテンツ記録機器、モバイル機器単体で構成されていても良い。また、上記ステップをコンピュータに実行させるためのプログラム、該プログラムを記録するコンピュータ読みとり可能な記録媒体も本発明の範疇に入る。プログラムは伝送媒体により取得されたものでも良い。
【発明の効果】
【００１９】
本発明によれば、コンテンツ記録機器とモバイル機器との間のデータコピーを自動化することができ、利用者側の操作負担を軽減することができる。
【００２０】
また、ユーザー毎にコピーするコンテンツを変更することができ、さらに、コンテンツ記録機器とモバイル機器と間のレジューム再生を行うこともできる。
【発明を実施するための最良の形態】
【００２１】
以下に、本発明の一実施の形態によるコンテンツ自動コピーシステムについて図面を参照しながら説明を行う。
【００２２】
図１は、本実施の形態によるコンテンツ自動コピーシステムの一構成例を示す簡単化した全体図である。本実施の形態によるコンテンツ自動取得システムＡは、有線もしくは無線の通信機能（Ｌ１）をもつコンテンツ記録機器２及びクレードル３と、クレードル３に設置可能でありコンテンツが再生できるモバイル機器１と、を有している。
【００２３】
尚、本明細書において、コンテンツとは、動画、音声データ、テキストデータ等を含み、データ属性を特に問わない全てのデータを指す。複数のコンテンツが含まれる場合もある。
【００２４】
また、コンテンツ記録機器とは、コンテンツを記録しておくことができる、例えば据え置き型の機器である。ＨＤＤレコーダ、パーソナルコンピュータなどを含む。ノート型ＰＣなどであっても良い。
【００２５】
本明細書におけるモバイル機器とは、コンテンツを再生、閲覧することができる携帯機器である。携帯電話機、携帯型のメディアプレーヤー等を指す。
【００２６】
本明細書におけるクレードルとは、モバイル機器と接続することによりモバイル機器の充電を行うことができ、さらに、コンテンツ記録機器とモバイル機器との通信の中継を行うことができる機器である。
【００２７】
尚、本実施の形態では、クレードルによってコンテンツ機器とモバイル機器との通信を行う例について説明しているが、モバイル機器が無線等の通信手段を持っている場合は、図２、図３に示すようにクレードルを介さずコンテンツ機器とモバイル機器が直接通信を行っても良い。すなわち、図２に示すシステムＢでは、コンテンツ記録機器２とモバイル機器１とが有線もしくは無線接続（Ｌ２）により接続されており、クレードル３が別途設けられている。図３に示すシステムＣでは、コンテンツ記録装置２とモバイル機器１とが有線もしくは無線接続（Ｌ２）により接続されており、クレードル３は設けられていない。このように、種々のシステム構成が本発明に含まれる。
【００２８】
図４は、本実施の形態によるモバイル機器１の一構成例を示す機能ブロック図である。図４に示すように、モバイル機器１は、クレードル３を介してコンテンツ記録機器２と接続される通信インターフェイス６と、コンテンツ保存領域１３を有する外部メモリ１２と接続される外部メモリインターフェイス７と、全体を制御する制御部（ＣＰＵ）４と、操作部５と、認証部８と、画像表示部９と、コンテンツ保存領域１１を有する内部メモリ１０と、を有している。
【００２９】
図５は、コンテンツ記録機器２の一構成例を示す機能ブロック図である。図５に示すように、コンテンツ記録機器２は、モバイル機器１とクレードル３を介して接続される通信インターフェイス１９と、全体を制御する制御部（ＣＰＵ）１７と、操作部１８と、認証部２１と、画像表示部２０と、モバイル機器１を管理するモバイル機器管理部２２と、ファイル形式を変換するファイル形式変換部２５と、コンテンツ保存領域２４を有する内部メモリ２３と、を有している。
【００３０】
次に、上記システムにおける処理について説明する。図６は、登録処理の流れを示すフローチャート図であり、図７は、コンテンツに関する処理の流れを示すフローチャート図である。図６に示すように、まず、ステップＳ１において処理を開始し（Ｓｔａｒｔ）、ステップＳ２においてコンテンツ機器にユーザー情報を登録することでモバイル機器がどのユーザーに属しているかを登録する。次いで、ステップＳ３において、コンテンツ機器にモバイル機器情報を登録する。ステップＳ４において、コンテンツ機器にコンテンツを保存する。コンテンツ記録機器がＨＤＤレコーダの場合は、録画もしくは録画予約となる。ステップＳ５において、コンテンツをモバイル機器に転送するか否かが設定される。コンテンツ記録機器で保持しているコンテンツ情報の例は、図８に示すように、端末ＩＤとユーザーＩＤとの組である。ここで、ユーザーＩＤにはコンテンツ保存の操作を行ったユーザーのＩＤが入る。ステップＳ６において、モバイル機器がクレードルに接続されるまで待つ（Ｎｏ）。モバイル機器は充電等を行うためにクレードルに接続されると（Ｙｅｓ）、ステップＳ７に進み、ステップＳ６を契機にコンテンツ記録機器とモバイル機器が自動で相互通信を行い相互に認証を行う。尚、ここでは、クレードルに接続された時を契機として通信を開始するものとしているが、通信を開始する契機としては、指定時刻、充電開始などその他の契機で通信を開始しても良い。次いで、ステップＳ８において、相互認証時に、モバイル機器からコンテンツ機器にモバイル機器状態情報を送信しコンテンツ機器でこれを保存し、処理を終了する（ステップＳ８）。
【００３１】
図９は、コンテンツ機器で保存する情報の構成例を示す図である。図９に示すように、コンテンツＩＤ３１と、ユーザーＩＤ３２と、コンテンツサイズ３３と、コンテンツのジャンル３４と、モバイル機器への転送可否情報３５と、コンテンツ視聴状況３６と、レジューム情報３７と、保存時刻３８と、を有している。相互認証時に、モバイル機器からコンテンツ記録機器に、「端末ＩＤ」、「再生可能なファイル」、「コンテンツ保存領域の空き容量」、「保存しているコンテンツ情報」を含む情報を送信する。「保存しているコンテンツ情報のデータ構造」は図９に示すようになる。図１０に示す情報は、コンテンツＩＤ４１と、コンテンツサイズ４２と、ジャンル４３と、コンテンツ視聴状況４４と、レジューム情報４５と、保存時刻４６と、を有している。
【００３２】
図７に示すように、処理を開始すると（ステップＳ１０：Ｓｔａｒｔ）、コンテンツ記録機器で、モバイル機器にコピーするコンテンツ、モバイル機器から削除するコンテンツ、コンテンツ記録機器から削除するコンテンツのリストを作成する（ステップＳ１１）。これらのリストの作成には、コンテンツの「ユーザーＩＤ」、「視聴状況」、「モバイル機器への転送可否情報」、「保存日時」、「ジャンル」等で決定する。例えば、ユーザーＩＤ」により、ユーザ毎に処理を行う。「視聴状況」により、例えば、すでにコンテンツ記録機器で何回も視聴したコンテンツは削除したり、全く視聴していないコンテンツは、送らない、「モバイル機器への転送可否情報」により、転送可のコンテンツを送り、転送付加のコンテンツは送らない、「保存日時」によりあまり古いコンテンツは削除する、「ジャンル」別にコンテンツを起こるように設定されている場合にはそのジャンルのコンテンツのみを転送するなどの処理を行う（ステップＳ１２）。上記のようにして、モバイル機器およびコンテンツ記録機器で保存されているコンテンツを上記にリストに従い削除することができる。また、モバイル機器へのコンテンツのコピーを行う（ステップＳ１３）。この際、認証時に得られた再生可能なファイルの情報および、モバイル機器のコンテンツ保存領域の空き容量から判定した最適な形式にてファイル形式の変換を行う（ステップＳ１４）。次いで、コンテンツ記録機器とモバイル機器との間で、コンテンツのリジューム情報を交換する（ステップＳ１５）。その後、図１１のステップＳ２１に進む。
【００３３】
図１１は、交換時の処理の流れを示すフローチャート図である。図１１に示すように、まず、図７のステップＳ１５に対応するステップＳ２１において、レジューム情報の交換を開始する。ステップＳ２２において、モバイル機器のコンテンツのレジューム情報を確認し、レジューム情報がある場合にはステップＳ２６へ、無い場合にはステップＳ２３に進む。ステップＳ２３においては、コンテンツ保存機器のコンテンツのレジューム情報を確認し、レジューム情報が無い場合にはステップＳ２５に進み、レジューム情報の交換を終了する。レジューム情報が有る場合にはステップＳ２４に進み、コンテンツ保存機器のコンテンツのレジューム情報をモバイル機器のコンテンツのレジューム情報にコピーし、ステップＳ２５に進む。ステップＳ２２において、モバイル機器のコンテンツのレジューム情報が有る場合には、ステップＳ２６に進み、コンテンツ保存機器のコンテンツのレジューム情報を確認し、レジューム情報がある場合にはステップＳ２５に進み、レジューム情報が無い場合にはステップＳ２７に進み、モバイル情報のコンテンツのレジューム情報をコンテンツ保存機器のコンテンツのレジューム情報にコピーし、ステップＳ２５に進む。これにより、機器間においてレジューム情報を共有することができるため、コンテンツの再生をあたかも１つの機器でおこなっているかのようにスムーズに行わせることができる。
【産業上の利用可能性】
【００３４】
本発明は、コンテンツ自動取得システムに利用可能である。
【図面の簡単な説明】
【００３５】
【図１】本発明の一実施の形態によるコンテンツコピーシステムの一構成例を示す図である。
【図２】本実施の形態によるコンテンツコピーシステムの別の構成例を示す図である。
【図３】本実施の形態によるコンテンツコピーシステムのさらに別の構成例を示す図である。
【図４】本実施の形態によるモバイル機器の一構成例を示す機能ブロック図である。
【図５】本実施の形態によるコンテンツ記録機器の一構成例を示す機能ブロック図である。
【図６】登録処理の流れを示すフローチャート図である。
【図７】コンテンツに関する処理の流れを示すフローチャート図である。
【図８】コンテンツ記録機器が保持するモバイル機器登録のデータ構造例を示す図である。
【図９】コンテンツ保存機器でもっているコンテンツ情報のデータ構造の一例を示す図である。
【図１０】相互認証時にモバイル機器からコンテンツ保存機器に送られるコンテンツ情報のデータ構造例を示す図である。
【図１１】コンテンツ記録機器とモバイル機器との間のレジューム情報交換処理の流れを示すフローチャート図である。
【符号の説明】
【００３６】
１  モバイル機器
２、１４  コンテンツ記録機器
３  クレードル
４  制御部
５、１８  操作部
６、１９  通信インターフェース
７  外部メモリインターフェース
８、２１  認証部
９、２０  画像表示部
１０、２３  内部メモリ
１１、１３、２４  コンテンツ保存領域
１２  外部メモリ
２２  モバイル機器管理部
２５  ファイル形式変換部
【図１】
2009169460.tif 000003
【図２】
2009169460.tif 000004
【図３】
2009169460.tif 000005
【図４】
2009169460.tif 000006
【図５】
2009169460.tif 000007
【図６】
2009169460.tif 000008
【図７】
2009169460.tif 000009
【図８】
2009169460.tif 000010
【図９】
2009169460.tif 000011
【図１０】
2009169460.tif 000012
【図１１】
2009169460.tif 000013